(57)【特許請求の範囲】
【請求項１】
一端に足場支柱連結用金具を備え他端にヒンジ部を介して揺動可能な連結ボルトを備える壁つなぎ材と、背面を壁面に当接し足場から壁面方向に作用する圧縮荷重を分散支持して壁面に伝達し得る板材と、板材の正面側にあって連結ボルトを螺合するナットと、このナットを内設すると共に少なくとも連結ボルトのヒンジ部を収納して揺動を抑制する円筒体を備えることを特徴とする壁当て材。
【発明の詳細な説明】
【０００１】
【発明の属する技術分野】
この発明は、足場から壁面方向に作用する圧縮荷重を支持するための壁当て材に関する。
【０００２】
【従来の技術】
住宅等の建物を構築する際には構造物の周囲に足場を組むが、構造物と足場の間を一定間隔に保つと同時に、足場の倒壊を防止するために、建物外壁部と足場を壁つなぎ材で接合している。一般に壁つなぎ材は引張力には強くても圧縮力には弱いため、壁面に当接する部分の面積を拡張して圧縮荷重を分散支持する構造の壁つなぎ材が提案されている。
【０００３】
このように圧縮荷重を分散支持する従来の壁つなぎ材としては、例えば実公平1−７７８５号公報に記載されるような壁つなぎ材が知られている。この壁つなぎ材１０１は、図６に示すようにクランプ金具１０２にて足場支柱１０３に固定される支持筒１０４と、止着金具１０５にて構造物の壁面１０６に止着される調整ボルト１０７を備え、全体の長さ調整が可能な構成となっている。
【０００４】
支持筒１０４の調整ボルト１０７側の端部には固定部材１０８が設けられており、支持筒１０４内に移動自在に挿入される調整ボルト１０７を任意の位置で固定することができる。又調整ボルト１０７の先端に設ける連結部１０９にはピン１０９ａを介して連結ボルト１０９ｂが揺動自在に枢支されている。
【０００５】
止着金具１０５は釘等の止着具１０５ａを貫通する止着孔を設けた略椀形状の止着板１０５ｂの頂部にナット１０５ｃを固着する構成であって、止着板１０５ｂを止着具１０５ａにて壁面１０６に固定した後、固着したナット１０５ｃに対して連結ボルト１０９ｂを捻じ込んで固定するものであった。
【０００６】
この壁つなぎ材１０１は止着金具１０５を釘等の止着具１０５ａで固定していたが、例えば特開平７−２０７９２４号公報に記載する壁つなぎ材２０１（図７参照）のように壁面２０６から突出する壁つなぎ受け金物２０５で固定するものもあった。壁つなぎ受け金物２０５は、壁面２０６に固着するナット２０５ａにボルト２０５ｂを螺合するもので、ボルト２０５ｂの端部には雌ネジ部２０５ｃを備えていた。
【０００７】
一方クランプ金具２０２を設ける支持筒２０４には連結ボルト２０９ｂがピン２０９ａを介して揺動自在に枢支されており、この連結ボルト２０９ｂを壁つなぎ受け金物２０５の雌ネジ部２０５ｃに螺合していた。又、この壁つなぎ材２０１は連結ボルト２０９ｂを頂部に貫通する略椀形状の補強金物２１０を備えていた。
【０００８】
このように従来の壁つなぎ材は、壁面に止着金具１０５や壁つなぎ受け金物２０５で固定する構成であり、足場から壁面方向に作用する荷重を略椀形状の止着板１０５ｂや補強金物２１０で分散支持する構成であった。
【０００９】
【発明が解決しようとする課題】
しかし、ユニット形式のシステム住宅のように外壁仕上材があらかじめ壁面に装着されている場合には、壁面に壁つなぎ材を固定すると仕上材を傷つけることになるので最後に補修しなければならなかった。又このような補修箇所はできるだけ少ない方が望ましいが、つなぎ箇所を少なくするほど荷重が集中することになるので設置箇所が限定されてしまう。即ち設置箇所は間柱等の柱部分に限定され、野地板等の一般部分には取付けられないという欠点があった。
【００１０】
又、補修が不可能な場合には壁面に壁つなぎ材を固定できないので、このような場合には控え材で足場を支持せざるを得ないが、足場が建物側に倒れるのを防止できなかった。これを防止するために従来の壁つなぎ材を壁当て材として使用するケースも考えられるが、従来の壁つなぎ材１０１，２０１は、連結ボルト１０９ｂ，２０９ｂを揺動自在に枢支する構成であったため、止着具１０５ａやボルト２０５ｂを使用せずに止着板１０５ｂや補強金物２１０を壁面に押圧固定することは困難であった。
【００１１】
又、当初押圧固定されていても振動等の外部荷重により足場と壁面の間隔が広がると、止着板１０５ｂや補強金物２１０は回動してしまい壁当て材としての機能を果たせなくなる欠点があった。
【００１２】
この発明は上記課題を解決し、壁面に固定せずに設置することが可能で、補修等の後処理が不要となり、設置適用箇所が広く、容易に壁面に押圧固定することができ、しかも振動等が作用しても足場から壁面方向に作用する圧縮荷重を支持するという機能を発揮し得る壁当て材を提供することを目的としている。
【００１３】
又請求項２記載の発明は、従来の壁つなぎ材を利用する場合であっても、上記機能を発揮できる壁当て材を提供することを目的としている。
【００１４】
【課題を解決するための手段】
上記課題を解決するため、この発明の壁当て材は、一端に足場支柱連結用金具を備え他端にヒンジ部を介して揺動可能な連結ボルトを備える壁つなぎ材と、背面を壁面に当接し足場から壁面方向に作用する圧縮荷重を分散支持して壁面に伝達し得る板材と、板材の正面側にあって連結ボルトを螺合するナットと、このナットを内設すると共に少なくとも連結ボルトのヒンジ部を収納して揺動を抑制する円筒体を備えることを特徴としている。
【００１７】
連結ボルトは円筒体に挿入して底部にあるナットに捻じ込む。連結ボルトのヒンジ部は円筒内で揺動が抑制されるため直線状に固定される。従って壁つなぎ材は壁面に対する垂直性を維持できる。又、円筒体が連結ボルトを保護するためコンクリートの付着等を防ぐこともできる。
【００１８】
【発明の実施の形態】
次にこの発明の実施の形態を図面に基づき詳細に説明する。図１は壁当て材の正面図である。壁当て材１は、支持筒２と、長さ調整ボルト３と、板材４を備える。支持筒２は一端にクランプ金具５を固設し、他端に固定部材６を設ける。固定部材６は長さ調整ボルト３のネジ山間に嵌合して長さ調整ボルト３を固定する螺旋状の押圧規制体６ａと、これを内蔵する締付金具６ｂ及び固定ボルト６ｃを有する。固定ボルト６ｃを捻じ込むことで押圧規制体６ａがネジ山間に嵌合して長さ調整ボルト３の回転移動が阻止され、支持筒２に固定される。
【００１９】
板材４は、円板４ａに略椀形状のドーム材４ｂを固着し、その頂部に長さ調整ボルト３を固着する。円板４ａには軟質ゴム等で作成する緩衝材４ｃを取付ける。この壁当て材１を使用する際には、足場支柱７にクランプ金具５を締結し、構造物の壁面８に板材４を押し当て支持筒２内に回転及び移動自在に挿入される長さ調整ボルト３を回転移動させながら固定部材６により固定する。
【００２０】
このように壁当て材１は板材４を壁面８に押圧接触させるだけの構成であるため、足場から壁面方向に作用する圧縮荷重を分散支持することしかできず、いわゆる壁つなぎとしての機能はもたない。しかし、板材４と長さ調整ボルト３を固着一体化する簡易な構成であるため製作は容易である。
【００２１】
又壁当て材はクランプ金具の代わりにくさび連結金具を用いるものでもよい。この実施形態を図２に示す。壁当て材１１の支持筒２にはくさび連結金具１５が固着し足場支柱１７に突設する枠状の受金具１７ａに嵌着する。なお、図２において図１と同様な構成・作用を示す部材は同一符号を付して説明は省略する。
【００２２】
次にいわゆる壁つなぎ材を利用する壁当て材の構成を図３に基づき説明する。図３の壁当て材２１は、壁つなぎ材２０と板材２４からなる。壁つなぎ材２０は、一端にクランプ金具５を備え他端にヒンジ部９を介して連結ボルト１０を揺動可能に連結する。ヒンジ部９は長さ調整ボルト３の先端に固着する断面略Ｕ型の連結部材９ａと、これを挿通するピン９ｂを有する。
【００２３】
板材２４は、略椀形状のドーム材４ｂの頂部にナット２４ｄを固着し、これを内設する円筒体２４ｅを備える。連結ボルト１０は円筒体２４ｅに挿入して底部にあるナット２４ｄに捻じ込む。連結ボルト１０のヒンジ部９は円筒体２４ｅ内で揺動が抑制されるため直線状に固定される。従って壁つなぎ材２０は壁面８に対する垂直性を維持できる。又、円筒体２４ｅが連結ボルト１０を保護するためコンクリートの付着等を防ぐこともできる。なお、図３においても図１と同様な構成・作用を示す部材は同一符号を付して説明は省略する。
【００２４】
又、壁つなぎ材はクランプ金具の代わりにくさび連結金具を用いるものでも同様に適用可能である。なお板材の形状は円板４ａに略椀形状のドーム材４ｂを固着するものに限定されず、多角形状の角板を用いるものでもよい。又ドーム材を用いずに図４及び図５に示すように緩衝材３４ｃを被覆する円板３４ａに直接ナット２４ｄ及び円筒体２４ｅを固着するものでもよい。このように、ドーム材を使用しない構成の場合には部材厚が厚くなるが、金型等が不要となる利点がある。
【００２５】
【発明の効果】
以上説明したように、この発明の壁当て材は、板材に設けるナットを内設し連結ボルトのヒンジ部を収納して揺動を抑制する円筒体を備えるので、連結ボルトを直線状に固定することができる。従って壁つなぎ材の壁面に対する垂直性を維持でき振動等が作用しても回動することなく足場から壁面方向に作用する圧縮荷重を支持できる。このため一般に使用されている壁つなぎ材を利用することができ、外壁の仕上げができるまでは通常の壁つなぎとして使用し、仕上げ後は圧縮材として使用することも可能である。又、円筒体が連結ボルトを保護するためコンクリートの付着等を防ぐこともできる。
【図面の簡単な説明】
【図１】壁当て材の正面図である。
【図２】くさび連結金具を用いる壁当て材の正面図である。
【図３】壁つなぎ材を利用する壁当て材の正面図である。
【図４】ドーム材を用いない板材の正面図である。
【図５】ドーム材を用いない板材の平面図である。
【図６】従来の壁つなぎの正面図である
【図７】従来の壁つなぎの正面図である。
【符号の説明】
１  壁当て材
２  支持筒
３  長さ調整ボルト
４  板材
５  クランプ金具
６  固定部材
７  足場支柱
８  壁面
【図１】
0003973173.tif 000002
【図２】
0003973173.tif 000003
【図３】
0003973173.tif 000004
【図４】
0003973173.tif 000005
【図５】
0003973173.tif 000006
【図６】
0003973173.tif 000007
【図７】
0003973173.tif 000008